【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】画像記録装置及び撮像装置
【手続補正２】
【補正対象書類名】明細書
【補正対象項目名】特許請求の範囲
【補正方法】変更
【補正の内容】
【特許請求の範囲】
【請求項１】
インターレース読み出しモードと全画素読み出しモードとに動作モードを切り換えて撮像信号を出力可能な固体イメージセンサと、
上記固体イメージセンサから撮像信号が供給される撮像信号処理手段と、
上記撮像信号処理手段から撮像信号が供給され、上記固体イメージセンサから全画素読み出しモードで読み出された撮像信号をインターレース信号に変換する走査変換手段と、
上記撮像信号処理手段又は走査変換手段から供給される撮像信号を記録媒体に記録する記録手段と、
上記固体イメージセンサの動作モードとともに上記記録手段への入力を切り換える制御を行う制御手段を備え、
上記固体イメージセンサからインターレース読み出しモードで読み出された撮像信号は撮像信号処理手段を介してそのまま記録媒体に記録し、上記固体イメージセンサから全画素読み出しモードで読み出された撮像信号は上記走査変換手段によりインターレース信号に変換して記録媒体に記録することを特徴とする画像記録装置。
【請求項２】
撮像信号を第一の記録媒体または第二の記録媒体に記録する撮像装置において、
記録媒体への動画記録を指示するための第一の操作手段と、
記録媒体への静止画記録を指示するための第二の操作手段と、
前記第一の操作手段または前記第二の操作手段の操作に応じて記録媒体への記録を制御する制御手段を備え、
前記制御手段は、前記第一の記録媒体へ動画を記録している間に前記第二の操作手段が操作された場合は、前記第一の記録媒体へ静止画を記録するよう制御を行うことを特徴とする撮像装置。
【請求項３】
前記制御手段は、前記第二の操作手段が操作されてから所定期間の静止画を記録するよう制御を行うことを特徴とする請求項２に記載の撮像装置。
【請求項４】
前記制御手段は、前記第一の記録媒体へ動画を記録している間に前記第二の操作手段が操作された場合は、前記第一の記録媒体へ静止画とともに音声を記録するよう制御を行なうことを特徴とする請求項２に記載の撮像装置。
【手続補正３】
【補正対象書類名】明細書
【補正対象項目名】０００１
【補正方法】変更
【補正の内容】
【０００１】
【発明の属する技術分野】
本発明は、固体イメージセンサの動作モードをインターレース読み出しモードと全画素読み出しモードとに切り換えて撮像を行い記録媒体に記録する画像記録装置及び撮像装置に関する。
【手続補正４】
【補正対象書類名】明細書
【補正対象項目名】０００５
【補正方法】変更
【補正の内容】
【０００５】
そこで、本発明の目的は、全画素読み出しモードにより高画質の静止画撮像信号を得て、インターレース読み出しモードに対応した記録動作を行う記録手段により記録媒体に記録できるようにした画像記録装置及び撮像装置を提供することにある。
【手続補正５】
【補正対象書類名】明細書
【補正対象項目名】０００６
【補正方法】変更
【補正の内容】
【０００６】
【課題を解決するための手段】
本発明に係る画像記録装置は、インターレース読み出しモードと全画素読み出しモードとに動作モードを切り換えて撮像信号を出力可能な固体イメージセンサと、上記固体イメージセンサから撮像信号が供給される撮像信号処理手段と、上記撮像信号処理手段から撮像信号が供給され、上記固体イメージセンサから全画素読み出しモードで読み出された撮像信号をインターレース信号に変換する走査変換手段と、上記撮像信号処理手段又は走査変換手段から供給される撮像信号を記録媒体に記録する記録手段と、上記固体イメージセンサの動作モードとともに上記記録手段への入力を切り換える制御を行う制御手段を備え、上記固体イメージセンサからインターレース読み出しモードで読み出された撮像信号は撮像信号処理手段を介してそのまま記録媒体に記録し、上記固体イメージセンサから全画素読み出しモードで読み出された撮像信号は上記走査変換手段によりインターレース信号に変換して記録媒体に記録することを特徴とする。
また、本発明は、撮像信号を第一の記録媒体または第二の記録媒体に記録する撮像装置において、記録媒体への動画記録を指示するための第一の操作手段と、記録媒体への静止画記録を指示するための第二の操作手段と、前記第一の操作手段または前記第二の操作手段の操作に応じて記録媒体への記録を制御する制御手段を備え、前記制御手段は、前記第一の記録媒体へ動画を記録している間に前記第二の操作手段が操作された場合は、前記第一の記録媒体へ静止画を記録するよう制御を行うことを特徴とする。
【手続補正６】
【補正対象書類名】明細書
【補正対象項目名】００１４
【補正方法】変更
【補正の内容】
【００１４】
そして、上記タイミング信号発生器２８は、上記カメラ制御用マイクロコンピュータ２５から与えられる制御信号によって全画素読み出しモードが設定されると、図４に示すように、２フィールド（２Ｖ）すなわち１フレーム周期（１Ｆ）のセンサゲート信号ＳＧと、１水平走査周期（１Ｈ）の垂直転送クロックＣＫＶと、水平ラインにおける画素数に対応する周波数の水平転送クロックＣＫＨを生成して、上記ＣＣＤイメージセンサ２３を全画素読み出しモードで駆動する。
【手続補正７】
【補正対象書類名】明細書
【補正対象項目名】００１５
【補正方法】変更
【補正の内容】
【００１５】
すなわち、全画素読み出しモードでは、上記ＣＣＤイメージセンサ２３の各フォトセンサＳにより得られる各画素の撮像電荷をセンサゲート信号ＳＧによって垂直転送レジスタＶＲに２フィールドすなわち１フレーム期間（１Ｆ）毎に読み出し、上記垂直転送レジスタＶＲに読み出した全画素の撮像電荷を１水平走査期間（１Ｈ）毎に１水平ラインずつ水平転送レジスタＨＲに転送して、各画素の撮像電荷を上記水平転送レジスタＨＲから水平ライン毎に出力部ＳＯを介して撮像信号として出力することにより、全画素の撮像電荷によるプログレススキャン信号として＃１，＃２，＃３・・・順に各水平ラインの撮像信号を得ることができる。
【手続補正８】
【補正対象書類名】明細書
【補正対象項目名】００１６
【補正方法】変更
【補正の内容】
【００１６】
また、上記タイミング信号発生器２８は、上記カメラ制御用マイクロコンピュータ２５から与えられる制御信号によってインターレース読み出しモードが設定されると、図５に示すように、１フィールド周期（１Ｖ）のセンサゲート信号ＳＧと、１水平走査期間（１Ｈ）毎に２発連続した垂直転送クロックＣＫＶと、水平ラインにおける画素数に対応する周波数の水平転送クロックＣＫＨを生成して、上記ＣＣＤイメージセンサ２３をインターレース読み出しモードで駆動する。
【手続補正９】
【補正対象書類名】明細書
【補正対象項目名】００１７
【補正方法】変更
【補正の内容】
【００１７】
すなわち、インターレース読み出しモードでは、上記ＣＣＤイメージセンサ２３の各フォトセンサＳにより得られる各画素の撮像電荷をセンサゲート信号ＳＧによって垂直転送レジスタＶＲに１フィールド期間（１Ｖ）毎に読み出し、上記垂直転送レジスタＶＲに読み出した全画素の撮像電荷を１水平走査期間（１Ｈ）毎に２水平ラインずつ水平転送レジスタＨＲに転送して、垂直ライン上で隣接する２画素分の電荷を上記水平転送レジスタＨＲにおいて加算合成することにより、水平ライン数を１／２に減少させた各画素の撮像電荷を上記水平転送レジスタＨＲから水平ライン毎に出力部ＳＯを介して撮像信号として出力することにより、全画素の撮像電荷からインターレース信号として撮像信号を得ることができる。上記水平転送レジスタＨＲにおいて加算合成する垂直ライン上で隣接する２画素分の電荷の組合せを奇数フィールドと偶数フィールドで異ならしめることにより、奇数フィールドでは＃１，＃２＋＃３，＃４＋＃５・・・の順に２ライン分を混合した各水平ラインの撮像信号を得ることができ、偶数フィールドでは＃１＋＃２，＃３＋＃４，・・・の順に２ライン分を混合した各水平ラインの撮像信号を得ることができる。
【手続補正１０】
【補正対象書類名】明細書
【補正対象項目名】００１８
【補正方法】変更
【補正の内容】
【００１８】
そして、このカムコーダ１００において、上記Ｉ／Ｆ処理・画像ＭＩＸ回路３は、上記撮像部１及びラインイン信号処理回路２から入力される信号に対するインターフェース処理を行うとともに、各信号の混合を行う。
【手続補正１１】
【補正対象書類名】図面
【補正対象項目名】図５
【補正方法】変更
【補正の内容】
【図５】
2000041171.tif 000001